【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
無線アクセス端末（Ｗ−ＡＴ）との情報交換を提供するための情報転送方法であって、
プロキシサーバーにおいてＷ−ＡＴから第１のメッセージを受信することであって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含むことと、
前記プロキシサーバーにおいて、前記Ｗ−ＡＴアドレスをトランザクション識別子（ＩＤ）に代えることによって前記第１のメッセージを匿名化されたメッセージに変換することと、
前記匿名化されたメッセージを遠隔サーバーに送信すること、とを備える、情報転送方法。
【請求項２】
前記第１の情報は、Ｗ−ＡＴ上のターゲット特定コンテンツ−メッセージ情報及び前記Ｗ−ＡＴ上のユーザープロフィール情報のうちの少なくとも１つに基づいて前記Ｗ−ＡＴにおいて生成される請求項１に記載の方法。
【請求項３】
前記匿名化されたメッセージを前記遠隔サーバーに送信後に、前記プロキシサーバーにおいて前記トランザクションＩＤ及び前記Ｗ−ＡＴアドレス情報のうちの少なくとも１つを削除することをさらに備える請求項２に記載の方法。
【請求項４】
前記プロキシサーバーにおいて、前記遠隔サーバーから第１の応答を受信することであって、前記第１の応答は、応答情報と、前記匿名化されたアドレス情報と、を有することと、
前記プロキシサーバーにおいて、トランザクションＩＤを前記Ｗ−ＡＴアドレスに代えることによって前記第１の応答を第２の応答に変換することと、
前記第２の応答を前記Ｗ−ＡＴに送信すること、とをさらに備える請求項２記載の方法。
【請求項５】
前記第２の応答を前記Ｗ−ＡＴに送信後に、前記トランザクションＩＤ及び前記Ｗ−ＡＴアドレス情報のうちの少なくとも１つを削除することをさらに備える請求項４に記載の方法。
【請求項６】
前記遠隔サーバーは、前記Ｗ−ＡＴアドレスが否定される請求項２に記載の方法。
【請求項７】
前記トランザクションＩＤは、前記Ｗ−ＡＴを識別するために前記プロキシサーバーによって用いられる請求項４に記載の方法。
【請求項８】
前記トランザクションＩＤは、ハッシュ関数を介して生成される請求項７に記載の方法。
【請求項９】
前記応答情報を前記Ｗ−ＡＴのユーザープロフィールに組み入れることをさらに備える請求項７に記載の方法。
【請求項１０】
前記応答情報は、前記ユーザーの推定年齢及び民族上の素性のうちの少なくとも１つに関連する情報である請求項４に記載の方法。
【請求項１１】
前記第１の情報は、地理上の所在場所である請求項９に記載の方法。
【請求項１２】
前記Ｗ−ＡＴは、前記第１の情報は絶対にリアルタイムでは翻訳されないように構成される請求項１１に記載の方法。
【請求項１３】
無線アクセス端末（Ｗ−ＡＴ）に情報を転送する能力を有するプロキシサーバーであって、
Ｗ−ＡＴから第１のメッセージを受信するための手段であって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含む手段と、
前記Ｗ−ＡＴアドレスをトランザクション識別子（ＩＤ）に代えることによって前記第１のメッセージを匿名化されたメッセージに変換するための手段と、
前記匿名化されたメッセージを遠隔サーバーに送信するための手段と、
前記遠隔サーバーから第１の応答を受信するための手段であって、前記第１の応答は、応答情報と、前記トランザクションＩＤと、を有する手段と、
前記トランザクションＩＤを前記Ｗ−ＡＴアドレスに代えることによって前記第１の応答を第２の応答に変換するための手段と、
前記Ｗ−ＡＴアドレス情報を用いることによって前記第２の応答を前記Ｗ−ＡＴに送信するための手段と、を備える、プロキシサーバー。
【請求項１４】
前記第１の情報は、Ｗ−ＡＴ上のターゲット特定コンテンツ−メッセージ情報及び前記Ｗ−ＡＴ上のユーザープロフィール情報のうちの少なくとも１つに基づいて前記Ｗ−ＡＴにおいて生成される請求項１３に記載のサーバー。
【請求項１５】
前記トランザクションＩＤ及び前記Ｗ−ＡＴアドレス情報のうちの少なくとも１つを削除するための手段をさらに備える請求項１３に記載のサーバー。
【請求項１６】
前記遠隔サーバーは、前記Ｗ−ＡＴアドレスが否定される請求項１３に記載のサーバー。
【請求項１７】
前記トランザクションＩＤは、前記Ｗ−ＡＴを識別するために前記プロキシサーバーによって用いられる請求項１３に記載のサーバー。
【請求項１８】
前記トランザクションＩＤは、ハッシュ関数を介して生成される請求項１７に記載のサーバー。
【請求項１９】
前記応答情報は、前記Ｗ−ＡＴのユーザープロフィールに組み入れられる請求項１４に記載のサーバー。
【請求項２０】
前記応答情報は、前記ユーザーの推定年齢及び民族上の素性のうちの少なくとも１つに関連する情報である請求項１９に記載のサーバー。
【請求項２１】
前記第１の情報は、地理上の所在場所である請求項２０に記載のサーバー。
【請求項２２】
無線アクセス端末（Ｗ−ＡＴ）に情報を転送する能力を有するプロキシサーバーであって、
Ｗ−ＡＴから第１のメッセージを受信するように構成された無線受信回路であって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含む無線受信回路と、
前記Ｗ−ＡＴアドレスをトランザクション識別子（ＩＤ）に代えることによって前記第１のメッセージを匿名化されたメッセージに変換するように構成された第１の処理回路と、
前記匿名化されたメッセージを遠隔サーバーに送信するように構成された第１の送信回路と、
前記遠隔サーバーから第１の応答を受信するように構成された第１の受信回路であって、前記第１の応答は、応答情報と、前記トランザクションＩＤと、を有する第１の受信回路と、
前記トランザクションＩＤを前記Ｗ−ＡＴアドレスに代えることによって前記第１の応答を第２の応答に変換するように構成された第２の処理回路と、
前記Ｗ−ＡＴアドレス情報を用いることによって前記第２の応答を前記Ｗ−ＡＴに送信するように構成された無線送信回路と、を備える、プロキシサーバー。
【請求項２３】
前記トランザクションＩＤは、ハッシュ関数を介して生成される請求項２２に記載のサーバー。
【請求項２４】
前記応答情報は、前記ユーザーの推定年齢及び民族上の素性のうちの少なくとも１つに関連する情報である請求項２２に記載のサーバー。
【請求項２５】
前記第１の情報は、地理上の所在場所である請求項２４に記載のサーバー。
【請求項２６】
コンピュータプログラム製品であって、
Ｗ−ＡＴから第１のメッセージを受信するための第１の組の命令であって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含む第１の組の命令と、
前記Ｗ−ＡＴアドレスをトランザクション識別子（ＩＤ）に代えることによって前記第１のメッセージを匿名化されたメッセージに変換するための第２の組の命令と、
前記匿名化されたメッセージを遠隔サーバーに送信するための第３の組の命令と、
前記遠隔サーバーから第１の応答を受信するための第４の組の命令であって、前記第１の応答は、応答情報と、前記匿名化されたアドレス情報と、を有する第４の組の命令と、
前記トランザクションＩＤを前記Ｗ−ＡＴアドレスに代えることによって前記第１の応答を第２の応答に変換するための第５の組の命令と、
前記第２の応答を前記Ｗ−ＡＴに送信するための第６の組の命令と、を備えるコンピュータによって読み取り可能な媒体、を備える、コンピュータプログラム製品。
【請求項２７】
前記トランザクションＩＤ及び前記Ｗ−ＡＴアドレス情報のうちの少なくとも１つを削除するための命令をさらに備える請求項２６に記載のコンピュータプログラム製品。
【請求項２８】
前記トランザクションＩＤは、ハッシュ関数を介して生成される請求項２６に記載のコンピュータプログラム製品。
【請求項２９】
前記応答情報は、前記ユーザーの推定年齢及び民族上の素性のうちの少なくとも１つに関連する情報である請求項２６に記載のコンピュータプログラム製品。
【請求項３０】
前記第１の情報は、地理上の所在場所である請求項２９に記載のコンピュータプログラム製品。
【請求項３１】
Ｗ−ＡＴから第１のメッセージを受信するように構成された無線受信回路であって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含む無線受信回路と、
前記Ｗ−ＡＴアドレスをトランザクション識別子（ＩＤ）に代えることによって前記第１のメッセージを匿名化されたメッセージに変換するように構成された第１の処理回路と、
前記匿名化されたメッセージを遠隔サーバーに送信するように構成された第１の送信回路と、
前記遠隔サーバーから第１の応答を受信するように構成された第１の受信回路であって、前記第１の応答は、応答情報と、前記トランザクションＩＤと、を有する第１の受信回路と、
前記トランザクションＩＤを前記Ｗ−ＡＴアドレスに代えることによって前記第１の応答を第２の応答に変換するように構成された第２の処理回路と、
前記Ｗ−ＡＴアドレス情報を用いることによって前記第２の応答を前記Ｗ−ＡＴに送信するように構成された無線送信回路と、をいっしょに備える、１つ以上の集積回路。
【請求項３２】
装置であって、
処理回路と、
Ｗ−ＡＴから第１のメッセージを受信するための第１の組の命令であって、前記第１のメッセージは、幾つかのサービスに関連し、前記Ｗ−ＡＴによって提供された第１の情報と、前記Ｗ−ＡＴを識別することができる前記Ｗ−ＡＴのアドレスと、を含む第１の組の命令と、
前記Ｗ−ＡＴアドレスをトランザクション識別子（ＩＤ）に代えることによって前記第１のメッセージを匿名化されたメッセージに変換するための第２の組の命令と、
前記匿名化されたメッセージを遠隔サーバーに送信するための第３の組の命令と、
前記遠隔サーバーから第１の応答を受信するための第４の組の命令であって、前記第１の応答は、応答情報と、前記匿名化されたアドレス情報と、を有する第４の組の命令と、
前記トランザクションＩＤを前記Ｗ−ＡＴアドレスに代えることによって前記第１の応答を第２の応答に変換するための第５の組の命令と、
前記第２の応答を前記Ｗ−ＡＴに送信するための第６の組の命令と、を含む前記処理回路に結合されたメモリと、を備える、装置。